(57)【特許請求の範囲】
【請求項１】
情報信号が記録される光ディスクと、この光ディスクを回転可能に収納し、情報信号の記録あるいは再生手段が臨む開口部を有するカートリッジ本体と、前記開口部を開閉するシャッタとを備え、カートリッジ本体が、シャッタ閉時にシャッタが移動しないようにシャッタと係合するシャッタロック部材と、このシャッタロック部材の開閉用の角穴と、シャッタロック部材の一部がのぞく、カートリッジの挿入方向と平行な一側面に設けられた横溝と、この横溝の挿入方向先端のテーパ部とを有するディスクカートリッジと、
ディスクカートリッジを着脱させるカートリッジホルダと、このカートリッジホルダに設けられ、カートリッジ本体の横溝に挿入されるとシャッタロック部材を解除するシャッタロック解除部材と、カートリッジホルダに設けられ、突起部を有し、この突起部がカートリッジ本体の角穴に挿入されるとシャッタを移動させるシャッタ移動部材とを備えた光ディスク記録再生装置とからなり、
ディスクカートリッジが、そのテーパ部にかかるように切り欠きを有し、かつこの切り欠きの前記横溝深さ方向の深さを、前記シャッタ移動部材の突起部に接触できない深さで、前記シャッタロック解除部材の横溝への挿入深さよりも浅くしたことを特徴とするディスクカートリッジの光ディスク記録再生機構。
【請求項２】
切り欠きが、そのカートリッジ厚み方向の高さを、シャッタ移動部材の突起部の高さよりも低くし、さらに切り欠きの終端部を、挿入方向に対して垂直としてなる請求項１に記載のディスクカートリッジの光ディスク記録再生機構。
【請求項３】
ディスクカートリッジが、その切り欠きの終端部の垂直部分をアール形状とし、かつシャッタ移動部材の突起部を略三角形状とし、さらに切り欠きの終端部につながる形状を、ディスクカートリッジがカートリッジホルダへ挿入される時にシャッタ移動部材の前記略三角形状の斜面が前記垂直部分に当接可能にシャッタ移動部材の突起部の略三角形状の斜面の角度より大きくした請求項１または２に記載のディスクカートリッジの光ディスク記録再生機構。
【請求項４】
情報信号が記録される光ディスクと、この光ディスクを回転可能に収納し、情報信号の記録あるいは再生手段が臨む開口部を有するカートリッジ本体と、前記開口部を開閉するシャッタとを備え、カートリッジ本体が、シャッタ閉時にシャッタが移動しないようにシャッタと係合するシャッタロック部材と、このシャッタロック部材の開閉用の角穴と、シャッタロック部材の一部がのぞく、光ディスク記録再生装置への挿入方向と平行な一側面に設けられた横溝と、この横溝の挿入方向先端のテーパ部とを有し、
さらに前記横溝のテーパ部にかかるように切り欠きを有し、かつこの切り欠きの横溝深さ方向の深さを、前記角穴を介してシャッタを移動させる光ディスク記録再生装置のシャッタ移動部材の突起部に接触できない深さで、前記シャッタロック部材を解除させる光ディスク記録再生装置のシャッタロック解除部材の前記横溝への挿入深さよりも浅くしたことを特徴とするディスクカートリッジ。
【発明の詳細な説明】
【０００１】
【発明の属する技術分野】
本発明は、ディスクカートリッジの光ディスク記録再生機構に関し、更に詳しくは光磁気記録媒体等としての光ディスクを収納するディスクカートリッジ構造および光ディスクに情報を記録及び再生する光ディスク記録再生装置からなるディスクカートリッジの光ディスク記録再生機構に関するものである。
【０００２】
【従来の技術】
従来の技術を図９から図１６にて説明する。
図９および図１５において、ディスク（以下、単にカートリッジと称す）カートリッジ２は上シェル４０と下シェル４２およびシャッタ４７等から構成されており、カートリッジ２内には情報信号が記録される光磁気ディスク１が、回転可能に収納されている。上シェル４０には情報信号の記録あるいは再生を行う磁気ヘッドが臨む第一の開口部４１を、下シェル４２には光磁気ディスク１を回転保持するスピンドルモータ４が臨む第二の開口部４３と情報信号の記録あるいは再生を行うピックアップユニットが臨む第三の開口部４４とを有している。
【０００３】
シャッタ４７は、第一および第三の開口部４１、４４を遮蔽上下シャッタ部分４８と、上下シャッタ部分４８を連結するシャッタ垂直部分４９と、シャッタ４７開閉の際のガイドおよび抜け止めとなるシャッタツメ５１の部分と、カートリッジ２とスライドするシャッタガイド部５２と、後述するロックレバー５４にロックされるシャッタロック部５３を有した構成となっている。
【０００４】
シャッタツメ５１は下カートリッジ２に設けたガイド溝４５をスライドするように組み付けられており、シャッタ４７のカートリッジ２からの外れ防止とスライドの際のガイドの役目を担っている。また、カートリッジ２厚み方向のシャッタ４７の保持を上下シャッタ部分４８の内寸法とカートリッジ２のシャッタスライド部分の外形とシャッタツメ５１と対向して設けられたシャッタガイド部５２で行っている。
【０００５】
上下カートリッジ２のシャッタ垂直部分４９がスライドする側面には、ロックレバー５４がのぞくと共に、後述するシャッタロック解除部材２７が通過するための、横溝４６が設けられている。横溝４６の挿入方向先端部には前記シャッタロック解除部材２７が挿入時にカートリッジ２に引っかかることのないように横溝４６から上下方向にテーパ５９が設けられている。
【０００６】
そして、シャッタ４７は閉じた状態では、ロックレバー５４により、シャッタロック部５３をロックされており、後述するような方法で、ロックを解除しながら、カートリッジ２全体を光磁気記録再生装置に装着し、情報の記録再生を行うものである。
【０００７】
次に、図１０から図１３および図１５にてカートリッジホルダ２６に、カートリッジ２を挿入する場合の動作を説明する。
図１０（ａ）はカートリッジ２をカートリッジホルダ２６に挿入仕掛けた図、図１０（ｂ）はシャッタ移動部材突起部３０がカートリッジ２に乗り上げる寸前の図、図１１（ａ）（ｂ）はシャッタ移動部材突起部３０がカートリッジ２に乗り上げた図、図１２（ａ）はシャッタ移動部材突起部３０がカートリッジ２からシャッタ４７に移動し、シャッタロック解除部材２７がカートリッジ機構４６のテーパ５９に挿入仕掛かった図、図１２（ｂ）はシャッタ移動部材突起部３０がシャッタ開口部５０に入りかけると同時に、シャッタロック解除部材２７がロックレバー５４に当接した図、図１３（ａ）はシャッタ移動部材突起部３０がシャッタ開口部５０に入り、シャッタロック解除部材２７がロックレバー５４を解除し、シャッタ４７が相対的にカートリッジ２上をスライドを開始した図である。
【０００８】
今、カートリッジホルダ２６がメインシャーシ３から上がった状態で、カートリッジ２を挿入した場合、まず、カートリッジホルダ２６に設けられたシャッタ４７開閉用のバネ性を有したシャッタ移動部材２９の先端に設けられたシャッタ移動部材突起部３０がカートリッジ２に乗り上げ、その後カートリッジ２およびシャッタ４７のシャッタ垂直部分４９を移動していく。そして、前記シャッタ移動部材２９のシャッタ移動部材突起部３０がバネ力により、シャッタ４７のシャッタ垂直部分４９に設けたシャッタ開口部５０に入り込み掛けた時に、前記カートリッジホルダ２６に設けられた、シャッタロック解除部材２７がロックレバー５４を解除すると同時にシャッタ移動部材突起部３０がシャッタ４７のシャッタ垂直部分４９に設けたシャッタ開口部５０に、入り込み、シャッタ４７をカートリッジホルダ２６の所定の位置で保持する。その後、カートリッジ２の押し込み動作にて、カートリッジ２本体は奥へ挿入されるが、シャッタ４７はシャッタロック解除部材２７に当接して停止し、相対的にシャッタ４７が開くことになる。
【０００９】
閉まる場合は、前記シャッタ移動部材突起部３０がシャッタ４７のシャッタ開口部５０に入り込んでいるため、カートリッジ２は挿入方向と反対方向に引き抜かれてもシャッタ４７はその位置で保持され、シャッタ４７がカートリッジ２の閉の位置にきた時に、前記ロック解除部材２７がシャッタ４７から遠ざかり、ロックレバー５４によってシャッタ４７がロックされ、シャッタ移動部材突起部３０がシャッタ４７のシャッタ開口部５０から乗り上げ、その後カートリッジ２全体がカートリッジホルダ２６から引き抜かれる。
【００１０】
上記のように挿入動作の時、シャッタ移動部材突起部３０がカートリッジ２先端部に乗り上げ、その後カートリッジ２の側面をスライドし、シャッタ垂直部分４９を移動することになる。
ここで、シャッタ移動部材突起部３０とカートリッジ２の横溝４６との関係を見る。カートリッジ横溝４６は上記したようにカートリッジホルダ２６に設けられたロック解除部材２７が挿入されるようにカートリッジ２挿入方向先端部は、ロック解除部材２７の挿入がし易いように上下方向のテーパ５９が設けられ、横溝４６へつながっている。シャッタ移動部材突起部３０はこのテーパ５９よりも低い位置を通過し、カートリッジ２先端部でカートリッジ２に乗り上げることになる。
【００１１】
【発明が解決しようとする課題】
前述のように、カートリッジ横溝４６挿入方向先端部にはテーパ５９が設けられ、シャッタ移動部材突起部３０はこのテーパ５９よりも低い位置を通過し、カートリッジ２先端部でカートリッジ２に乗り上げることになるのであるが、カートリッジ横溝４６やテーパ５９の高さがばらついて低くなったり、カートリッジホルダ２６に設けられたシャッタ移動部材突起部３０の高さがばらついて高くなったり、カートリッジ２がカートリッジホルダ２６に斜めに挿入されたりした場合に、シャッタ移動部材突起部３０の下面の高さが前記テーパ５９の下側の高さよりも高くなり、シャッタ移動部材突起部３０がテーパ５９に入り込む場合がある。
【００１２】
入り込んでもそのままカートリッジ２に乗り上げれば問題は生じないが、テーパ５９はくさび状になっているため、最悪の場合はシャッタ移動部材突起部３０がテーパ５９に食い込んでしまうという問題があった（図１４）。特に、シャッタ移動部材突起部３０の高さ方向の幅カートリッジ横溝４６の幅よりも少しだけ大きい場合はより食い込み易いものであり、さらに小型薄型のカートリッジの場合にはカートリッジ２挿入方向先端部分テーパ５９の下のシャッタ移動部材突起部３０がカートリッジ２に乗り上げる部分が少ないため、よりシャッタ移動部材突起部３０がテーパ５９に食い込み易いものとなってしまう。これはユーザがカートリッジ２を挿入する場合、挿入できなくなるため、ユーザクレームとなってしまうものである。
【００１３】
【課題を解決するための手段】
本発明は、情報信号が記録される光ディスクと、この光ディスクを回転可能に収納し、情報信号の記録あるいは再生手段が臨む開口部を有するカートリッジ本体と、前記開口部を開閉するシャッタとを備え、カートリッジ本体が、シャッタ閉時にシャッタが移動しないようにシャッタと係合するシャッタロック部材と、このシャッタロック部材の開閉用の角穴と、シャッタロック部材の一部がのぞく、カートリッジの挿入方向と平行な一側面に設けられた横溝と、この横溝の挿入方向先端のテーパ部とを有するディスクカートリッジと、
ディスクカートリッジを着脱させるカートリッジホルダと、このカートリッジホルダに設けられ、カートリッジ本体の横溝に挿入されるとシャッタロック部材を解除するシャッタロック解除部材と、カートリッジホルダに設けられ、突起部を有し、この突起部がカートリッジ本体の角穴に挿入されるとシャッタを移動させるシャッタ移動部材とを備えた光ディスク記録再生装置とからなり、
ディスクカートリッジが、そのテーパ部にかかるように切り欠きを有し、かつこの切り欠きの前記横溝深さ方向の深さを、前記シャッタ移動部材の突起部に接触できない深さで、前記シャッタロック解除部材の横溝への挿入深さよりも浅くしたことを特徴とするディスクカートリッジの光ディスク記録再生機構を提供する。
【００１４】
すなわち、本発明は、ディスクカートリッジの横溝の挿入方向先端のテーパ部にかかるように特定の切り欠きを設けることによって、寸法のばらつきやカートリッジの挿入の仕方によらず、確実に録音再生が可能になるようにするものである。
【００１５】
本発明の作用をさらに説明すれば、具体的には、ディスクカートリッジ挿入方向先端のテーパ部に切り欠きを設けているので、シャッタ移動部材の突起部がテーパ部に食い込むことが無く、終端部の垂直部分で確実にディスクカートリッジに乗り上げるものである。また切り欠きの深さ方向の寸法はシャッタ移動部材の突起部の高さより高く、ロック解除部材の高さより浅いため、シャッタ移動部材の突起部の先端が切り欠きの底に当たることが無く、ロック解除部材が切り欠きに入り込むことが無い、ディスクカートリッジおよび光ディスク記録再生装置からなるディスクカートリッジの光ディスク記録再生機構を実現することができるものである。
【００１６】
またディスクカートリッジにおいては、切り欠きの終端部の垂直部分をアールにしているため、また、前記切り欠き終端部につながる形状が、シャッタ移動部材の突起部を略三角形状の斜面の角度より大きくしているため、ディスクカートリッジがカートリッジホルダへ挿入される時、前記シャッタ移動部材の突起部の略三角形状の斜面が、前記終端部の垂直部分に確実に当接する。従ってシャッタ移動部材の突起部がスムースにディスクカートリッジに乗り上げることができるものである。
【００１７】
本発明は、別の観点によれば、情報信号が記録される光ディスクと、この光ディスクを回転可能に収納し、情報信号の記録あるいは再生手段が臨む開口部を有するカートリッジ本体と、前記開口部を開閉するシャッタとを備え、カートリッジ本体が、シャッタ閉時にシャッタが移動しないようにシャッタと係合するシャッタロック部材と、このシャッタロック部材の開閉用の角穴と、シャッタロック部材の一部がのぞく、光ディスク記録再生装置への挿入方向と平行な一側面に設けられた横溝と、この横溝の挿入方向先端のテーパ部とを有し、
さらに前記横溝のテーパ部にかかるように切り欠きを有し、かつこの切り欠きの横溝深さ方向の深さを、前記角穴を介してシャッタを移動させる光ディスク記録再生装置のシャッタ移動部材の突起部に接触できない深さで、前記シャッタロック部材を解除させる光ディスク記録再生装置のシャッタロック解除部材の前記横溝への挿入深さよりも浅くしたことを特徴とするディスクカートリッジを提供できる。
【００１８】
【発明の実施の形態】
以下、本発明に係るディスクカートリッジの実施の形態について、図面を参照して説明する。なお、これによって本発明が限定されるものではない。
まず、図１、図２から図５、図６、図７にて本発明の一つの実施の形態を説明する。尚、この実施の形態においては、図９から図１６と同一であるものには同一符号を用いている。
【００１９】
図１および図６において、ディスクカートリッジ（以下、単にカートリッジと称す）２は上シェル４０と下シェル４２およびシャッタ４７等から構成されており、カートリッジ２内には情報信号が記録される光磁気ディスク１が、回転可能に収納されている。上シェル４０には情報信号の記録あるいは再生を行う磁気ヘッドが臨む第一の開口部４１を、下シェル４２には光磁気ディスク１を回転保持するスピンドルモータ４が臨む第二の開口部４３と情報信号の記録あるいは再生を行うピックアップユニットが臨む第三の開口部４４とを有している。なお、上シェル４０と下シェル４２とを合わせてカートリッジ本体と称することもできる。
【００２０】
シャッタ４７は、第一、第二および第三の開口部４１、４３、４４を遮蔽する上下シャッタ部分４８と、上下シャッタ部分４８を連結するシャッタ垂直部分４９と、シャッタ４７開閉の際のガイドおよび抜け止めとなるシャッタツメ５１の部分と、カートリッジ２とスライドするシャッタガイド部５２と、後述するロックレバー５４にロックされるシャッタロック部５３を有した構成となっている。
【００２１】
シャッタツメ５１は下カートリッジ２に設けたガイド溝４５をスライドするように組み付けられており、シャッタ４７のカートリッジ２からの外れ防止とスライドの際のガイドの役目を担っている。また、カートリッジ２厚み方向のシャッタ４７の保持を上下シャッタ部分４８の内寸法とカートリッジ２のシャッタスライド部分の外形とシャッタツメ５１と対向して設けられたシャッタガイド部５２で行っている。
【００２２】
上下カートリッジ２のシャッタ垂直部分４９がスライドする側面には、ロックレバー５４がのぞくと共に、後述するシャッタロック解除部材２７が通過するための、横溝４６が設けられている。横溝４６の挿入方向先端部には前記シャッタロック解除部材２７が挿入時にカートリッジ２に引っかかることのないように横溝４６から上下方向にテーパ５９が設けられている。そしてそのテーパ５９にかかるように切り欠き６０が設けられている。この切り欠き６０の横溝４６深さ方向の深さは、光ディスク記録再生装置のシャッタ移動部材の突起部３０の横溝４６深さ方向の高さよりも大きく、シャッタロック解除部材２７の横溝４６への挿入量よりも小さい。
【００２３】
また、切り欠き６０のカートリッジ厚み方向の高さは、前記シャッタ移動部材の突起部３０の高さよりも低く、切り欠き６０の終端部が挿入方向に対して、垂直となっている。また、前記シャッタ移動部材の突起部３０は略三角形状をしており、カートリッジ２に設けた切り欠き６０がシャッタ移動部材の突起部３０の三角形状の大きさより大きく、かつ前記切り欠き終端部６１の垂直部分にアールを設けている。
【００２４】
シャッタ４７は閉じた状態では、ロックレバー５４により、シャッタロック部５３をロックされており、後述するような方法で、ロックを解除しながら、カートリッジ２全体を光磁気記録再生装置に装着し、情報の記録再生を行うものである。
【００２５】
次に、図２から図５および図７にてカートリッジホルダ２６に、カートリッジ２を挿入する場合の動作を説明する。図２（ａ）はカートリッジ２をカートリッジホルダ２６に挿入仕掛けた図。図２（ｂ）はシャッタ移動部材突起部３０がカートリッジ２の切り欠き６０に入り始めた図。図３（ａ）はシャッタ移動部材突起部３０がカートリッジ２の切り欠き６０終端部６１の垂直部分に当接し、乗り上げようとしている寸前の図。図３（ｂ）はシャッタ移動部材突起部３０がカートリッジ２に乗り上げた図。図４（ａ）はシャッタ移動部材突起部３０がカートリッジ２からシャッタ４７に移動し、シャッタロック解除部材２７がカートリッジ横溝４６のテーパ５９に挿入仕掛かった図。図４（ｂ）はシャッタ移動部材突起部３０がシャッタ開口部５０に入りかけると同時に、シャッタロック解除部材２７がロックレバー５４に当接した図。図５（ａ）はシャッタ移動部材突起部３０がシャッタ開口部５０に入り、シャッタロック解除部材２７がロックレバー５４を解除し、シャッタ４７が相対的にカートリッジ２上をスライドを開始した図である。
【００２６】
今、カートリッジホルダ２６がメインシャーシ３から上がった状態で、カートリッジ２を挿入した場合、まず、カートリッジホルダ２６に設けられたシャッタ４７開閉用のバネ性を有したシャッタ移動部材２９の先端に設けられたシャッタ移動部材突起部３０がカートリッジ２に設けられた切り欠き６０に入り込み、その後切り欠きの終端部６１の垂直部分にてカートリッジ２に乗り上げるものである。終端部６１の垂直部分にはアールが設けられているためシャッタ移動部材突起部３０はスムースに乗り上げるものである。その後シャッタ移動部材突起部３０はシャッタ４７のシャッタ垂直部分４９を移動していく。そして、前記シャッタ移動部材２９のシャッタ移動部材突起部３０がバネ力により、シャッタ４７のシャッタ垂直部分４９に設けたシャッタ開口部５０に入り込み仕掛けた時に、前記カートリッジホルダ２６に設けられた、シャッタロック解除部材２７がロックレバー５４を解除すると同時にシャッタ移動部材突起部３０がシャッタ４７のシャッタ垂直部分４９に設けたシャッタ開口部５０に、入り込み、シャッタ４７をカートリッジホルダ２６の所定の位置で保持する。その後、カートリッジ２の押し込み動作にて、カートリッジ２本体は奥へ挿入されるが、シャッタ４７はシャッタロック解除部材２７に当接して停止し、相対的にシャッタ４７が開くことになる。
【００２７】
閉まる場合は、前記シャッタ移動部材突起部３０がシャッタ４７のシャッタ開口部５０に入り込んでいるため、カートリッジ２は挿入方向と反対方向に引き抜かれてもシャッタ４７はその位置で保持され、シャッタ４７がカートリッジ２の閉の位置にきた時に、前記ロック解除部材２７がシャッタ４７から遠ざかり、ロックレバー５４によってシャッタ４７がロックされ、シャッタ移動部材突起部３０がシャッタ４７のシャッタ開口部５０から乗り上げ、その後カートリッジ２全体がカートリッジホルダ２６から引き抜かれる。
図８にて後述するディスクカートリッジを着脱して信号の記録再生を行う光磁気記録再生装置について説明を行う。
メインシャーシ４の上部にはカートリッジホルダ２６が取り付けられており、カートリッジ２をカートリッジホルダ２６に挿入した後、カートリッジホルダ回転支点３１、図１６（ｂ）参照を中心に回転し、ドライブに着脱するものである。メインシャーシ４のほぼ中央にはスピンドルモータ５が配置され、メインシャーシ４上に突出しているスピンドルモータ軸に取り付けられたハブ７にて光磁気ディスク１をチャッキングし、情報の記録再生時等に所定の回転速度で回転させるものである。
この光磁気ディスク１を間に挟んでピックアップユニット８と磁気ヘッド１３が互いに対向するように配置されている。
【００２８】
ピックアップユニット８は、レーザ光源９から出射されたレーザ光を光磁気ディスク１に直角方向にプリズム１０またはミラーにて反射し、この反射されたレーザ光を対物レンズ１２にて光磁気ディスク１の記録層上に集光させるように構成されている。
【００２９】
ピックアップユニット８全体は、スライド機構１６にて、メインシャーシ４にスピンドルモータ５と直角方向に固定されたガイド軸２０上を光磁気ディスク１の半径方向にスライドするように構成されている。
スライド機構１６は送りモータ１７と伝達機構１８，送りネジ１９等で構成され、送りモータ１７が回転することにより、伝達機構１８に伝達し、送りネジ１９を回転させ、送りネジ１９に噛み合ったピックアップユニット８を光磁気ディスク１の半径方向にスライドさせるものである。
【００３０】
一方、磁気ヘッド１３は、フェライトに一体に形成されたコアを取り囲むようにコイルが挿入されて構成されている。この磁気ヘッド１３は光磁気ディスク１の直角方向に荷重が掛かるばね構成のサスペンション１４に取り付けられ、サスペンション１４はヘッド取付アングル１５に固定されている。ヘッド取付アングル１５は前記磁気ヘッド１３と対物レンズ１２にて集光されたスポットとの位置決めをされた状態でピックアップユニット８のハウジング１１に固定されている。これにより、ピックアップユニット８が、スライド機構１６によって光磁気ディスク１の半径方向にスライドする時は、ハウジング１１に固定された前記磁気ヘッド１３も連動してスライドする。
【００３１】
磁気ヘッド１３は、情報の記録時はディスク面に付勢されるが、再生時や取り出し時には磁気ヘッド昇降機構にて磁気ヘッド１３を昇降させ、磁気ヘッド１３をディスク面より離間させている。
【００３２】
磁気ヘッド昇降機構は、メインシャーシ４下面に配置されたヘッド昇降モータ２３および減速機構２５、前記ヘッド昇降モータ２３および減速機構２５により駆動される回転レバー２４，前記回転レバー２４により駆動される操作レバー２２および磁気ヘッド１３のサスペンション１４とカートリッジ２の間に回転自在に設けられたヘッド昇降レバー２１とからなる。すなわち、ヘッド昇降モータ２３の回転力が減速機構２５から回転レバー２４に伝達され、操作レバー２２をスライドさせる。そして操作レバー２２がヘッド昇降レバー２１を回転させ、サスペンション１４と磁気ヘッド１３を光磁気ディスク１より所定量離間させる。通常ヘッド昇降レバー２１はカートリッジ２の上側にあるが、ヘッド昇降レバー２１を動作させる駆動部はメインシャーシ４下側にあり、操作レバー２２にてカートリッジ２外周部より上下を連結している。
【００３３】
前記光磁気ディスク１に対して情報の記録を行う場合は、光磁気ディスク１をスピンドルモータ５にて所定の回転速度で回転させ、前記磁気ヘッド１３をヘッド昇降メカニズムにて降下させサスペンション１４によってディスク面に付勢し、更に光磁気ディスク１に形成される記録層に、ピックアップユニット８からレーザ光を入射させることで、記録層中、レーザ光の入射を受けた部分が、レーザ光による温度上昇し、外部磁界の向きに応じた磁化変化を行う。外部磁界は記録信号に応じて変化するという所謂磁界変調方式によって、記録層に所定のパターンをもって磁化方向反転領域が形成されて情報の書込みが行われる。
【００３４】
また、前記光磁気ディスク１に対して情報の再生が行われる場合には、前記磁気ヘッド１３昇降メカニズムにて、サスペンション１４と磁気ヘッド１３を光磁気ディスク１より所定量離間させる。この状態でレーザ光によって情報を読み出す。
【００３５】
以上のごとく、本発明のディスクカートリッジおよび光ディスク記録再生装置では、カートリッジ２挿入方向先端テーパ５９に切り欠き６０を設けているので、シャッタ移動部材突起部３０がテーパ５９に食い込むことが無く、終端部６１の垂直部分で確実にカートリッジ２に乗り上げるものである。また切り欠き６０の深さ方向の寸法はシャッタ移動部材突起部３０の高さより高く、ロック解除部材２７の高さより浅いため、シャッタ移動部材突起部３０の先端が切り欠きの底に当たることが無く、ロック解除部材２７が切り欠き６０に入り込むことが無い、ディスクカートリッジの光ディスク記録再生機構を実現することができるものである。
【００３６】
また切り欠き６０の終端部６１の垂直部分をアールにしているため、また、前記切り欠き６０終端部６１につながる形状が、シャッタ移動部材の突起部３０は略三角形状の斜面の角度より大きいため、カートリッジ２がカートリッジホルダ２６へ挿入される時、前記シャッタ移動部材の突起部３０の略三角形状の斜面が、前記終端部６１の垂直部分に確実に当接する。従ってシャッタ移動部材突起部３０がスムースにカートリッジ２に乗り上げることができるものである。
【００３７】
【発明の効果】
この発明によれば、ディスクカートリッジの横溝の挿入方向先端のテーパ部にかかるように特定の切り欠きを設けることによって、突起部がスムースにディスクカートリッジに乗り上げることができ、それによって寸法のばらつきやカートリッジの挿入の仕方によらず、光ディスクの録音再生が確実にできるようになる。
【図面の簡単な説明】
【図１】本発明の一つの実施の形態を示すカートリッジの斜視図である。
【図２】（ａ）〜（ｂ）が本発明の一つの実施の形態を示すカートリッジとカートリッジホルダとの挿入状態の途中を表す平面図および側面図である。
【図３】（ａ）〜（ｂ）が本発明の一つの実施の形態を示すカートリッジとカートリッジホルダとの挿入状態の途中を表す平面図および側面図である。
【図４】（ａ）〜（ｂ）が本発明の一つの実施の形態を示すカートリッジとカートリッジホルダとの挿入状態の途中を表す平面図および側面図である。
【図５】（ａ）が本発明の一つの実施の形態を示すカートリッジとカートリッジホルダとの挿入状態の途中を表す平面図および側面図である。
【図６】（ａ）（ｂ）（ｃ）が本発明の一つの実施の形態を示すカートリッジの平面図、側面図、裏面図である。
【図７】（ａ）（ｂ）が本発明の一つの実施の形態を示すカートリッジとカートリッジホルダの平面図および側面図である。
【図８】（ａ）（ｂ）（ｃ）がドライブの平面図、側面図、裏面図である。
【図９】従来例を示すカートリッジの斜視図である。
【図１０】（ａ）〜（ｂ）が従来例を示すカートリッジとカートリッジホルダとの挿入状態の途中を表す平面図および側面図である。
【図１１】（ａ）〜（ｂ）が従来例を示すカートリッジとカートリッジホルダとの挿入状態の途中を表す平面図および側面図である。
【図１２】（ａ）〜（ｂ）が従来例を示すカートリッジとカートリッジホルダとの挿入状態の途中を表す平面図および側面図である。
【図１３】（ａ）が従来例を示すカートリッジとカートリッジホルダとの挿入状態の途中を表す平面図および側面図である。
【図１４】従来例を示すカートリッジとシャッタ移動部材突起部の食い込んだ状態を示す図である。
【図１５】（ａ）（ｂ）（ｃ）が従来例を示すカートリッジの平面図、側面図、裏面図である。
【図１６】（ａ）（ｂ）が従来例を示すカートリッジとカートリッジホルダの平面図および側面図である。
【符号の説明】
１  光磁気ディスク
２  カートリッジ
３  メインシャーシ
４  スピンドルモータ
５  スピンドルモータ軸
６  ハブ
７  ピックアップユニット
８  レーザ光源
９  ミラー
１０  ハウジング
１１  対物レンズ
１２  磁気ヘッド
１３  サスペンション
１４  ヘッド取付アングル
１５  スライド機構
１６  送りモータ
１７  伝達機構
１８  送りネジ
１９  ガイド軸
２０  グリップバネ
２１  ヘッド昇降レバー
２２  操作レバー
２３  ヘッド昇降モータ
２４  回転レバー
２５  減速機構
２６  カートリッジホルダ
２７  ロック解除部材
２８  ロック解除部材平行部
２９  シャッタ移動部材
３０  シャッタ移動部材突起部
３１  カートリッジホルダ回転支点
４０  上シェル
４１  第一の開口部
４２  下シェル
４３  第二の開口部
４４  第三の開口部
４５  ガイド溝
４６  横溝
４７  シャッタ
４８  上下シャッタ部分
４９  シャッタ垂直部分
５０  シャッタ開口部
５１  シャッタツメ
５２  シャッタガイド部
５３  シャッタロック部
５４  ロックレバー
５５  ロックレバー係合部
５６  ロックレバーレバー部
５７  ロックレバーバネ部
５８  ロックレバー回転支点
５９  テーパ部
６０  切り欠き
６１  終端部の垂直部分
【図１】
0003573716.tif 000002
【図２】
0003573716.tif 000003
【図３】
0003573716.tif 000004
【図４】
0003573716.tif 000005
【図５】
0003573716.tif 000006
【図６】
0003573716.tif 000007
【図７】
0003573716.tif 000008
【図８】
0003573716.tif 000009
【図９】
0003573716.tif 000010
【図１０】
0003573716.tif 000011
【図１１】
0003573716.tif 000012
【図１２】
0003573716.tif 000013
【図１３】
0003573716.tif 000014
【図１４】
0003573716.tif 000015
【図１５】
0003573716.tif 000016
【図１６】
0003573716.tif 000017